(57)【要約】【課題】ユーザ間でセッション接続要求や接続応答することでコンテンツを配信できるようにする。【解決手段】発信者１と着信者２間でセッション接続の信号交換を管理できるコントロールエージェント３と、このコントロールエージェントを通して、発信者または第三者が事前登録するコンテンツを保存するコンテンツサーバ４とを備え、コントロールエージェントは、発信者から着信者へのセッション接続要求の信号交換が発生したときに、発信者が選択・指定したコンテンツをコンテンツサーバから着信者へ配信させる。コントロールエージェントは、着信者からのセッション接続応答を受信したときに、着信者が選択・指定したコンテンツをコンテンツサーバから発信者へ配信させることも含む。【選択図】  図１
2004259100.tif 000002
【特許請求の範囲】
【請求項１】
ＩＰネットワークを利用したコンテンツの選択配信システムであって、
発信者と着信者間でセッション接続の信号交換を管理できるコントロールエージェントと、
前記コントロールエージェントを通して、発信者または第三者が事前登録するコンテンツを保存するコンテンツサーバとを備え、
前記コントロールエージェントは、発信者から着信者へのセッション接続要求の信号交換が発生したときに、発信者が選択・指定したコンテンツを前記コンテンツサーバから着信者へ配信させる手段を備えたことを特徴とするコンテンツの選択配信システム。
【請求項２】
前記コンテンツは、少なくともユーザを特定できる情報を含ませておき、
前記コントロールエージェントは、発信者からセッション接続要求を受信したとき、発信者のサービス加入の有無を判定し、加入していれば登録コンテンツのＩＤを参照し、前記コンテンツサーバに対してコンテンツの配信要求をしてセッション接続処理を継続する手段を備え、
前記コンテンツサーバは、前記コントロールエージェントよりコンテンツの配信要求を受信することで、着信者に対してコンテンツを配信する手段を備えたことを特徴とする請求項１に記載のコンテンツの選択配信システム。
【請求項３】
ＩＰネットワークを利用したコンテンツの選択配信システムであって、
発信者と着信者間でセッション接続の信号交換を管理できるコントロールエージェントと、
前記コントロールエージェントを通して、着信者または第三者が事前登録するコンテンツを保存するコンテンツサーバとを備え、
前記コントロールエージェントは、発信者から着信者へのセッション接続要求に対する着信者からのセッション接続応答を受信したときに、着信者が選択・指定したコンテンツを前記コンテンツサーバから発信者へ配信させる手段を備えたことを特徴とするコンテンツの選択配信システム。
【請求項４】
前記コンテンツは、少なくともユーザを特定できる情報を含ませておき、
前記コントロールエージェントは、発信者からセッション接続要求を受信したとき、着信者のサービス加入の有無を判定し、加入していれば登録コンテンツのＩＤを参照し、セッション接続要求に対する着信者からのセッション接続応答を受信し、前記コンテンツサーバに対してコンテンツの配信要求をしてセッション接続処理を継続する手段を備え、
前記コンテンツサーバは、前記コントロールエージェントよりコンテンツの配信要求を受信することで、発信者に対してコンテンツを配信する手段を備えたことを特徴とする請求項３に記載のコンテンツの選択配信システム。
【請求項５】
請求項１〜４のいずれか１項に記載のコンテンツの選択配信システムにおける処理手順をコンピュータで実行可能に構成したことを特徴とするプログラム。
【請求項６】
請求項１〜４のいずれか１項に記載のコンテンツの選択配信システムにおける処理手順をコンピュータで実行可能にしたプログラムを、該コンピュータが読み取り可能に記録したことを特徴とする記録媒体。
【発明の詳細な説明】
【０００１】
【発明の属する技術分野】
本発明は、ＩＰネットワークを利用したコンテンツの選択配信システムに関する。
【０００２】
【従来の技術】
従来、コンテンツの配信には、ユーザの要求に対する応答として映像や広告配信を自ら受信するような例はある（例えば、非特許文献１、２、３参照）。しかし、セッション接続のような他の目的のネゴシエーションを契機として、コンテンツの内容や配信対象を柔軟に選択して、配信を行うような機能はなかった。
【０００３】
また、センサ機能が動作したときにｐｕｓｈ型でアラームを送るような機能が提供されている（例えば、非特許文献４参照）。しかし、セッション接続のような他の目的のネゴシエーションを契機として、ユーザが選択したコンテンツをｐｕｓｈ型で別のユーザに配信する機能はなかった。
【０００４】
また、通信相手の特定という面では、携帯電話の着信メロディや発信者ＩＤに応じた鳴り分けなど端末所有者が自端末機能を用いて実現していた（例えば、非特許文献５参照）。しかし、通信相手の端末に自分のＩＤを含めたコンテンツをネットワークサーバから配信するサービスの方法はなかった。
【０００５】
【非特許文献１】
検索日平成１５年１月７日、インターネットＵＲＬ＜ｈｔｔｐ：／／ｗｗｗ．ｊｐｏ．ｇｏ．ｊｐ／ｔｅｃｈｎｏ／ｐｄｆ／ｄｃ．ｐｄｆ＞
【０００６】
【非特許文献２】
検索日平成１５年１月７日、インターネットＵＲＬ＜ｈｔｔｐ：／／ｗｗｗ．ｓｏｉ．ｗｉｄｅ．ａｄ．ｊｐ／ｃｌａｓｓ／２００１００１９／ｓｌｉｄｅｓ／１０／ｉｎｄｅｘ  １８．ｈｔｍｌ＞
【０００７】
【非特許文献３】
検索日平成１５年１月７日、インターネットＵＲＬ＜ｈｔｔｐ：／／ｗｗｗ．ｓｏｉ．ｗｉｄｅ．ａｄ．ｊｐ／ｃｌａｓｓ／２００１００１９／ｓｌｉｄｅｓ／１０／ｉｎｄｅｘ  １４．ｈｔｍｌ＞
【０００８】
【非特許文献４】
検索日平成１５年１月７日、インターネットＵＲＬ＜ｈｔｔｐ：／／ｗｗｗ．ｉｐｓｊ．ｏｒ．ｊｐ／ｍｅｍｂｅｒｓ／ＳＩＧＮｏｔｅｓ／Ｊｐｎ／０９／２０００／１２９／ａｒｔｉｃｌｅ０１０．ｈｔｍｌ＞
【０００９】
【非特許文献５】
検索日平成１５年１月７日、インターネットＵＲＬ＜ｈｔｔｐ：／／ｗｗｗ．ｓｏｕｍｕ．ｇｏ．ｊｐ／ｊｏｈｏ＿ｔｓｕｓｉｎ／ｐｒｅｓｓｒｅｌｅａｓｅ／ｊａｐａｎｅｓｅ＞
【００１０】
【発明が解決しようとする課題】
従来技術では、ユーザがコンテンツを受信することを目的として、プロバイダのような配信業者が提供するサーバシステム上でコンテンツを選択し、リクエスト・レスポンスを交換してデータ転送を行っていた。その場合のコンテンツ利用者（配信を受けるユーザ）は、コンテンツ選択者であり、コンテンツ要求者であった。また、ネゴシエーション（リクエスト・レスポンス交換）の行為自体はコンテンツ配信を目的として発生するものであった。通信時の相手の特定については、端末所有者が自端末機能を用いて自ら行っていた。
【００１１】
本発明は、あるユーザがコンテンツを選択し、そのコンテンツを、ＶｏＩＰのセッション接続など異なった目的で通信する相手（別のユーザ）に配信するシステムを提供することを目的としている。
【００１２】
この場合、コンテンツ受信者とコンテンツ選択者は異なり、配信のネゴシエーションはセッション接続など別の目的から発生する。また、通信相手の特定という面では、コンテンツ受信者がコンテンツ選択者を特定可能となる。また、本発明はサーバからコンテンツ配信するため、低スペックな端末であってもユーザは多種多様で大容量なコンテンツを活用することが出来る効果を併せ持つ。
【００１３】
【課題を解決するための手段】
本発明では、セッション接続を行うためのユーザ間の信号交換において、コントロールエージェントを設置してその信号交換を管理し、ユーザが配信したいコンテンツをそのコントロールエージェントに事前登録などで保持し、コントロールエージェントとコンテンツサーバが連携することで、あるＩＰネットワーク内にセッション接続の信号交換が発生したときに、信号発信者の選択したコンテンツを信号着信者に配信したり、信号着信者の選択したコンテンツを信号発信者に配信できるようにしたものである。
【００１４】
また、ユーザを特定できるような情報を含むコンテンツ（名前入りの画像、自作の映像や音楽等）をネットワークで提供し、ユーザが適切にコンテンツを選択・配信を要求することによって、信号発信者のＩＤを含んだコンテンツを信号着信者に配信したり、信号着信者のＩＤを含んだコンテンツを信号発信者に配信するものである。
【００１５】
以上のことから、本発明は、以下のシステム、プログラムおよび記録媒体を特徴とする。
【００１６】
（システムの発明）
（１）ＩＰネットワークを利用したコンテンツの選択配信システムであって、発信者と着信者間でセッション接続の信号交換を管理できるコントロールエージェントと、
前記コントロールエージェントを通して、発信者または第三者が事前登録するコンテンツを保存するコンテンツサーバとを備え、
前記コントロールエージェントは、発信者から着信者へのセッション接続要求の信号交換が発生したときに、発信者が選択・指定したコンテンツを前記コンテンツサーバから着信者へ配信させる手段を備えたことを特徴とする。
【００１７】
（２）前記コンテンツは、少なくともユーザを特定できる情報を含ませておき、
前記コントロールエージェントは、発信者からセッション接続要求を受信したとき、発信者のサービス加入の有無を判定し、加入していれば登録コンテンツのＩＤを参照し、前記コンテンツサーバに対してコンテンツの配信要求をしてセッション接続処理を継続する手段を備え、
前記コンテンツサーバは、前記コントロールエージェントよりコンテンツの配信要求を受信することで、着信者に対してコンテンツを配信する手段を備えたことを特徴とする。
【００１８】
（３）ＩＰネットワークを利用したコンテンツの選択配信システムであって、発信者と着信者間でセッション接続の信号交換を管理できるコントロールエージェントと、
前記コントロールエージェントを通して、着信者または第三者が事前登録するコンテンツを保存するコンテンツサーバとを備え、
前記コントロールエージェントは、発信者から着信者へのセッション接続要求に対する着信者からのセッション接続応答を受信したときに、着信者が選択・指定したコンテンツを前記コンテンツサーバから発信者へ配信させる手段を備えたことを特徴とする。
【００１９】
（４）前記コンテンツは、少なくともユーザを特定できる情報を含ませておき、
前記コントロールエージェントは、発信者からセッション接続要求を受信したとき、着信者のサービス加入の有無を判定し、加入していれば登録コンテンツのＩＤを参照し、セッション接続要求に対する着信者からのセッション接続応答を受信し、前記コンテンツサーバに対してコンテンツの配信要求をしてセッション接続処理を継続する手段を備え、
前記コンテンツサーバは、前記コントロールエージェントよりコンテンツの配信要求を受信することで、発信者に対してコンテンツを配信する手段を備えたことを特徴とする。
【００２０】
（プログラムの発明）
（５）上記（１）〜（４）のいずれか１項に記載のコンテンツの選択配信システムにおける処理手順をコンピュータで実行可能に構成したことを特徴とするプログラム。
【００２１】
（記録媒体の発明）
（６）上記（１）〜（４）のいずれか１項に記載のコンテンツの選択配信システムにおける処理手順をコンピュータで実行可能にしたプログラムを、該コンピュータが読み取り可能に記録したことを特徴とする記録媒体。
【００２２】
【発明の実施の形態】
図１は、本発明の実施形態を示すシステム構成図であり、発信者がコンテンツを選択配信する場合である。
【００２３】
本実施形態では、発信者が予め利用登録しておいた画像・メロディといったコンテンツを、着信者に対して呼び出し時に配信することができる。また、着信者はコンテンツを見て発信者を特定することができる。
【００２４】
同図において、発信者１と着信者２は、通信事業者が提供するＣＡ（コントロールエージェント）３を経由してセッション接続の信号（ＳＩＰ等）を交換する（Ｓ２，Ｓ５）。ユーザ端末はＰＤＡなどを一例として挙げている。
【００２５】
ＣＡ３は発信者に関する認証やコンテンツ配信サービスに加入しているかどうかの判定を行ったり、事前に発信者が選択・登録したコンテンツの情報を保持している（Ｓ１）。
【００２６】
ＣＡ３はセッション接続要求を発信者から受信した時に、コンテンツプロバイダが提供するコンテンツサーバ４に対して、着信者に配信すべきコンテンツのＩＤなどの必要な情報を含めて配信要求を送信する（Ｓ３）。
【００２７】
コンテンツサーバはＣＡ３から受信した情報を元に適切なコンテンツを選択し、着信者端末と必要なネゴシエーションを行って、着信者２に対してコンテンツを配信する（Ｓ４）。
【００２８】
代金の流れとしては、発信者が通信事業者に対してサービス利用料を支払い、その一部をコンテンツ利用料として通信事業者がコンテンツプロバイダに支払うモデルを例として挙げている。
【００２９】
図２は、本発明の他の実施形態を示すシステム構成図であり、着信者がコンテンツを選択配信する場合である。
【００３０】
本実施形態では、着信者が予め利用登録しておいた画像・メロディといったコンテンツを、発信者に対して信号レスポンス（セッション接続応答）を返信する時に配信することができる。また、発信者はコンテンツを見て着信者のこと（例：電話に出れない状態）を知ることができる。
【００３１】
同図において、図１と同様に、着信者２は事前にコンテンツを登録しておく（Ｓ１）。着信者２と発信者１は、ＰＤＡなどの端末を用いて、ＣＡ３を経由してセッション接続の信号を交換し（Ｓ２）、ＣＡ３は認証、サービス加入判定、着信者が選択・登録したコンテンツの情報の保持等を行う。ＣＡ３はセッション接続要求に対するレスポンスを着信者から受信したとき（Ｓ３）、コンテンツサーバ４に対して、発信者に配信すべきコンテンツのＩＤなどの必要な情報を含めて配信要求を送信する（Ｓ４）。コンテンツサーバ４はＣＡ３から受信した情報を元に適切なコンテンツを選択し、発信者端末と必要なネゴシエーションを行って、発信者に対してコンテンツを配信する（Ｓ５）。発信者１はコンテンツ受信したとき、その参照により着信者２の状態認識を可能にする（Ｓ６）。
【００３２】
代金の流れとしては、着信者が通信事業者に対してサービス利用料を支払い、その一部をコンテンツ利用料として通信事業者がコンテンツプロバイダに支払うモデルを例として挙げている。
【００３３】
図３は、配信するコンテンツについて示した図である。サービス利用者は事前に利用コンテンツをＣＡ３を通してコンテンツサーバ４に登録しておく。このとき、コンテンツサーバ４には、名前や自分の状態を示す情報が入った画像やユーザ自作の楽曲、大容量映像やリアルタイムな趣味に関する情報などをコンテンツに含めることで、サービスの拡張性を高めることができる。また、特定のコンテンツに限らず、ランダムに配信するような配信方式についても拡張性を高めることができる。
【００３４】
図４は、図１におけるコンテンツ選択配信システム（発信者選択配信）のＣＡ３とコンテンツサーバ４の処理フローチャートである。ＣＡ３では、セッション接続要求を受信したとき（Ｓ１１）、発信者のサービス加入の有無を判定し（Ｓ１２）、加入していれば登録コンテンツのＩＤを参照し（Ｓ１３）、コンテンツサーバ４に対して配信要求し（Ｓ１４）、セッション接続処理を継続する（Ｓ１５）。コンテンツサーバ４では、ＣＡ３よりコンテンツの配信要求を受信することで（Ｓ１６）、着信者に対してコンテンツを配信する（Ｓ１７）。
【００３５】
図５は、図２におけるコンテンツ選択配信システム（着信者選択配信）のＣＡ３とコンテンツサーバ４の処理フローチャートである。ＣＡ３では、セッション接続要求を受信したとき（Ｓ２１）、着信者のサービス加入の有無を判定し（Ｓ２２）、加入していれば登録コンテンツのＩＤを参照し（Ｓ２３）、セッション接続要求に対する着信者からのレスポンス受信を得（Ｓ２４）、コンテンツサーバ４に対して配信要求し（Ｓ２５）、セッション接続処理を継続する（Ｓ２６）。コンテンツサーバ４では、ＣＡ３よりコンテンツの配信要求を受信することで（Ｓ２７）、発信者に対してコンテンツを配信する（Ｓ２８）。
【００３６】
図６は、図１におけるコンテンツ選択配信システム（発信者選択配信）の処理シーケンスである。利用コンテンツの登録頻度は基本的にはユーザ依存となる。セッション接続要求を受信したＣＡ３はユーザ認証や加入サービスの判定を行った後、発信者から指定されたコンテンツのＩＤを参照し、コンテンツサーバに対して、配信するコンテンツのＩＤや配信先（着信者のユーザＩＤやＩＰアドレス相当）の情報を含めて、配信要求を行う。コンテンツサーバは配信先（着信者）と配信可／不可やコーデックなどについてネゴシエーションして、コンテンツ配信を行う。ＣＡ３はコンテンツサーバからの配信要求に対するレスポンスを受信した後、セッション接続の処理を継続し、ＲＴＰ（Ｔｒａｎｃｅｐｏｒｔ  Ｐｒｏｔｏｃｏｌ  ｆｏｒ  Ｒｅａｌ  Ｔｉｍｅ  Ａｐｐｌｉｃａｔｉｏｎ）によるコンテンツ配信処理を行う。
【００３７】
図７は、図２におけるコンテンツ選択配信システム（着信者選択配信）の処理シーケンスである。利用コンテンツの登録頻度は基本的にはユーザ依存となる。セッション接続要求を受信したＣＡ３はユーザ認証や加入サービスの判定を行った後、セッション接続の信号処理について着信者からビシーレスポンスを受信した場合に、着信者に指定されたコンテンツのＩＤを参照し、コンテンツサーバ４に対して、配信するコンテンツのＩＤや配信先（発信者のユーザＩＤやＩＰアドレス相当）の情報を含めて、配信要求を行う。コンテンツサーバは配信先（発信者）と配信可／不可やコーデックなどについてネゴシエーションして、コンテンツ配信を行う。ＣＡ３はコンテンツサーバからの配信要求に対するレスポンスを受信した後、セッション接続の不完了処理を継続し、ＲＴＰによるコンテンツ配信処理を行う。
【００３８】
なお、実施形態では発信者または着信者が登録したコンテンツを配信する場合を示すが、第３者が登録したコンテンツであっても、コンテンツＩＤを認識および配信の承認を得ておく場合にはそのコンテンツ配信に利用できる。
【００３９】
また、本発明は、図４〜図７に示した方法又は図１、図２に示した装置の一部又は全部の処理機能をプログラムとして構成してコンピュータに実行させることができる。また、コンピュータでその各部の処理機能を実現するためのプログラム、あるいはコンピュータにその処理手順を実行させるためのプログラムを、そのコンピュータが読み取り可能な記録媒体、例えば、フレキシブルディスク、ＭＯ、ＲＯＭ、メモリカード、ＣＤ、ＤＶＤ、リムーバブルディスクなどに記録して、保存したり、提供したりすることが可能であり、また、インターネットのような通信ネットワークを介して配布したりすることが可能である。
【００４０】
【発明の効果】
本発明は、ユーザがセッション接続を行う時に、発信者が選択したコンテンツを着信者に配信し、着信者が選択したコンテンツを発信者に配信し、ユーザを特定できるような情報を含むコンテンツ（名前入りの画像、自作の映像や音楽等）をネットワークで提供してユーザが適切にコンテンツを選択・配信を要求することによって、発信者のＩＤを含んだコンテンツを着信者に配信し、着信者の状態を含んだコンテンツを発信者に配信し、ネットワークのコンテンツサーバを活用することで低スペックな端末であっても大容量映像コンテンツを利用できたり、名前入りの画像、ユーザ自作の楽曲、リアルタイムな趣味に関する情報などをネットワークコンテンツとして利用できたり、特定カテゴリーに限らずランダムにコンテンツ配信できるような、コンテンツ内容や配信方式のサービス性に拡張性を持つ効果がある。
【図面の簡単な説明】
【図１】本発明の実施形態を示すシステム概要図（発信者選択配信）。
【図２】本発明の他の実施形態を示すシステム概要図（着信者選択配信）。
【図３】配信するコンテンツについて示した図。
【図４】コンテンツ選択配信システム（発信者選択配信）の動作フローチャート。
【図５】コンテンツ選択配信システム（着信者選択配信）の動作フローチャート。
【図６】コンテンツ選択配信システム（発信者選択配信）の処理シーケンス。
【図７】コンテンツ選択配信システム（着信者選択配信）の処理シーケンス。
【符号の説明】
１…発信者
２…着信者
３…コントロールエージェント
４…コンテンツサーバ
【図１】
2004259100.tif 000003
【図２】
2004259100.tif 000004
【図３】
2004259100.tif 000005
【図４】
2004259100.tif 000006
【図５】
2004259100.tif 000007
【図６】
2004259100.tif 000008
【図７】
2004259100.tif 000009